(57)【特許請求の範囲】
【請求項１】
複数の端末をそれぞれ収容する複数のポケット部（３０）を備えた多連クレードル（１）であって、
箱型本体（１０）を備え、
前記箱型本体は、
長手状の横置き時下面（１８）と、
前記端末が差し込まれる端末差し込み面（２０）と、
前記横置き時下面と前記端末差し込み面とを連結する側面（１６）と、
前記側面の短手方向にある両辺のうち、前記複数のポケット部の開口より底側に向かう側である一方側の辺に接続される本体部縦置き時下面（１２）と、を備え、
前記複数のポケット部は、
開口から底に向かうほど、前記本体部縦置き時下面までの距離および前記横置き時下面までの距離がともに短くなる方向に形成され、
前記本体部縦置き時下面が、実際の設置時の下面である設置時下面となった状態で前記端末が収容されたときには、前記端末の下向き側面と対向して前記端末の重量を支持し、前記横置き時下面が前記設置時下面となったときには、前記端末の上向き側面の下部と当接可能である第１対向面（３４３）と、
前記横置き時下面が前記設置時下面となった状態で前記端末が収容されたときには、前記端末の下向き側面と対向して前記端末の重量を支持し、前記本体部縦置き時下面が前記設置時下面となったときには、前記端末の上向き側面の下部と当接可能である第２対向面（３６）と、を備え、
前記本体部縦置き時下面は、前記横置き時下面よりも面積が小さく、かつ、前記複数のポケット部に前記端末が収容されて、この本体部縦置き時下面が前記設置時下面となった状態で、前記多連クレードルが自立する大きさであり、
前記横置き時下面は、前記複数のポケット部に前記端末が収容されて、この横置き時下面が前記設置時下面となった状態で、前記多連クレードルが自立する大きさであることを特徴とする多連クレードル。
【請求項２】
請求項１において、
前記複数のポケット部の底にそれぞれ配置され、前記ポケット部に収容された前記端末の底面と電気的に接触して、前記端末に電力を供給する充電端子（６０）と、
前記ポケット部の底に対して前記ポケット部の開口とは反対側に設けられ、前記充電端子と対向し、前記充電端子と接触すると前記充電端子が通電状態となる基板（７０）とを備え、
前記充電端子は、前記端末の底面および前記基板と電気的に接触する接触部（６１）と、前記接触部を前記基板から離隔する方向に付勢するバネ部（６２）とを備え、
前記ポケット部の軸心角度は、前記本体部縦置き時下面または前記横置き時下面を前記設置時下面としたときともに、前記充電端子の接触部と前記基板とが接触する荷重を前記ポケット部に収容された前記端末が前記充電端子に加えることができる角度であることを特徴とする多連クレードル。
【請求項３】
請求項１または２において、
前記端末差し込み面の前記本体部縦置き時下面側の端部において、前記端末差し込み面から突き出す支え部（５０）を備え、
前記支え部は、前記本体部縦置き時下面と同一平面上にあり、前記本体部縦置き時下面を前記端末差し込み面側に延伸した延伸面（５２）とを備えることを特徴とする多連クレードル。
【発明の詳細な説明】
【技術分野】
【０００１】
本発明は、複数の端末を保持できる多連クレードルに関する。
【背景技術】
【０００２】
クレードルに設けられた複数のポケット部に端末を収容させて、複数の端末に対して同時に充電を行うことができる多連型のクレードルが知られている。
【０００３】
特許文献１の多連型のクレードル（特許文献１では多連通信置台）は、複数の端末をそれぞれ収容する複数のポケット部が、クレードルが設置された状態における下面に対して平行に並んでいる。
【０００４】
特許文献２には、ポケット部が備えられていない多連型のクレードルが開示されている。特許文献２の多連型のクレードルは、端末を端末載置面に載置して充電を行う。この特許文献２に開示されている多連型のクレードルも、各端末を設置する部分は、クレードルが設置された状態における下面に対して平行に並んでいる。
【先行技術文献】
【特許文献】
【０００５】
【特許文献１】特開２００８−１５２７２９号公報
【特許文献２】特開２０１０−２２１０５号公報
【発明の概要】
【発明が解決しようとする課題】
【０００６】
特許文献１のクレードルも、特許文献２のクレードルも、下面の面積が側面の面積よりも大きいため、設置した状態での安定性がよい。なお、安定性がよいとは、転倒しにくいことを意味する。
【０００７】
しかし、特許文献１のクレードルも、特許文献２のクレードルも、置き方はひと通りに決まっており、下面の面積よりも側面の面積が大きくなる置き方はできない。なお、この置き方、すなわち、下面の面積よりも側面の面積が大きくなる置き方を、以下、縦置きという。これに対して、下面の面積が、いずれかの側面の面積よりも大きくなる置き方を横置きという。
【０００８】
横置きは安定性がよいが、比較的広い設置面積が必要になってしまう。一方、縦置きは、横置きに比較して設置面積を狭くすることができるが、横置きに比較して安定性が悪いという問題がある。設置面積が確保できる場合には横置きが好ましく、縦置きしかできない場合、安定性の悪い状態で設置しなければならない。
【０００９】
本発明は、上述した課題を解決するためになされたもので、その目的とするところは、高い安定性を得ることができ、かつ、狭い場所に設置することもできる多連クレードルを提供することにある。
【課題を解決するための手段】
【００１０】
その目的を達成するための請求項１記載の発明は、複数の端末をそれぞれ収容する複数のポケット部（３０）を備えた多連クレードル（１）であって、箱型本体（１０）を備え、
箱型本体は、長手状の横置き時下面（１８）と、端末が差し込まれる端末差し込み面（２０）と、横置き時下面と端末差し込み面とを連結する側面（１６）と、側面の短手方向にある両辺のうち、複数のポケット部の開口より底側に向かう側である一方側の辺に接続される本体部縦置き時下面（１２）と、を備え、
複数のポケット部は、開口から底に向かうほど、本体部縦置き時下面までの距離および横置き時下面までの距離がともに短くなる方向に形成され、本体部縦置き時下面が、実際の設置時の下面である設置時下面となった状態で端末が収容されたときには、端末の下向き側面と対向して端末の重量を支持し、横置き時下面が設置時下面となったときには、端末の上向き側面の下部と当接可能である第１対向面（３４３）と、
横置き時下面が設置時下面となった状態で端末が収容されたときには、端末の下向き側面と対向して端末の重量を支持し、本体部縦置き時下面が設置時下面となったときには、端末の上向き側面の下部と当接可能である第２対向面（３６）と、を備え、
本体部縦置き時下面は、横置き時下面よりも面積が小さく、かつ、複数のポケット部に端末が収容されて、この本体部縦置き時下面が設置時下面となった状態で、多連クレードルが自立する大きさであり、
横置き時下面は、複数のポケット部に端末が収容されて、この横置き時下面が設置時下面となった状態で、多連クレードルが自立する大きさであることを特徴とする。
【００１１】
本発明によれば、多連クレードルは、２つの下面、すなわち、本体部縦置き時下面と横置き時下面を備えている。そして、箱型本体に形成された複数のポケット部は、開口から底に向かうほど、本体部縦置き時下面および横置き時下面までの距離がともに短くなる方向に形成されている。
【００１２】
この方向に各ポケット部が形成されると、横置き時下面を設置時下面として多連クレードルを設置したときにも、また、本体部縦置き時下面を設置時下面として多連クレードルを設置したときにも、ポケット部に収容された端末の荷重は、ポケット部の底方向および端末の下向き側面と対向する方向に加わる。
【００１３】
端末の荷重がポケット部の底方向に加わるので、ポケット部に収容された端末が平行移動してポケット部から抜け落ちてしまうことが防止される。
【００１４】
また、ポケット部は第１対向面と第２対向面とを備えており、本体部縦置き時下面が設置時下面となった状態で端末がポケット部に収容されたときには、第１対向面が端末の重量を支持し、第２対向面が端末の上向き側面の下部と当接可能である。
【００１５】
反対に、横置き時下面が設置時下面となった状態でポケット部に端末が収容されたときには、第２対向面が端末の重量を支持し、第１対向面が端末の上向き側面の下部と当接可能である。したがって、本体部縦置き時も横置き時も、端末が回転してポケット部から脱落することも抑制される。
【００１６】
また、本体部縦置き時下面と横置き時下面を備えているため、それらの面積を調整すれば、本体部縦置き時下面を設置時下面として多連クレードルを設置したときにも、横置き時下面を設置時下面として多連クレードルを設置したときにも、多連クレードルを自立させることができる。
【００１７】
そして、本体部縦置き時下面は、横置き時下面よりも面積が小さいことから、本体部縦置き時下面を設置時下面として多連クレードルを自立させたときには、横置き時下面を設置時下面としたときよりも、狭い設置面積に設置することができる。
【００１８】
一方、横置き時下面を設置時下面として多連クレードルを自立させたときは、本体部縦置き時下面を設置時下面として多連クレードルを自立させたときよりも高さ方向寸法が低くなるので、重心が低くなる。よって、高い安定性が得られる。
【００１９】
請求項２記載の発明は、複数のポケット部の底にそれぞれ配置され、ポケット部に収容された端末の底面と電気的に接触して、端末に電力を供給する充電端子（６０）と、ポケット部の底に対してポケット部の開口とは反対側に設けられ、充電端子と対向し、充電端子と接触すると充電端子が通電状態となる基板（７０）とを備え、充電端子は、端末の底面および基板と電気的に接触する接触部（６１）と、接触部を基板から離隔する方向に付勢するバネ部（６２）とを備え、ポケット部の軸心角度は、本体部縦置き時下面または横置き時下面を設置時下面としたとき、ともに、充電端子の接触部と基板とが接触する荷重をポケット部に収容された端末が充電端子に加えることができる角度であることを特徴とする。
【００２０】
この発明では、ポケット部の底には充電端子が備えられているので、ポケット部に端末が収容された状態では、端末が充電端子を押圧する。充電端子は、バネ部を備えているので、端末はバネ部の付勢力に抗して充電端子を押圧することになる。端末が充電端子に加える力は、ポケット部の軸心角度により変化する。そして、本発明では、ポケット部の軸心角度を、本体部縦置き時下面を設置時下面としたときにも、横置き時下面を設置時下面としたときにも、充電端子の接触部と基板とが接触する荷重が、ポケット部に収容された端末から充電端子に加わる角度としている。したがって、縦置き時にも、横置き時にも、ポケット部に端末を収容することで、端末を充電することができる。
【００２１】
請求項３記載の発明は、端末差し込み面の本体部縦置き時下面側の端部において、端末差し込み面から突き出す支え部（５０）を備え、支え部は、本体部縦置き時下面と同一平面上にあり、本体部縦置き時下面を端末差し込み面側に延伸した延伸面（５２）とを備えることを特徴とする。
【００２２】
本発明によれば、支え部を備えており、この支え部に、縦置き時下面の一部となる延伸面が備えられていることから、本体部縦置き時下面の面積を小さくして箱型本体の体積を小さくしても、多連クレードルは縦置き時に安定して自立することができる。
【図面の簡単な説明】
【００２３】
【図１】第１実施形態の多連クレードル１が縦置きになっている状態の斜視図である。
【図２】図１の多連クレードル１の上部拡大図である。
【図３】図４のIII−III線断面図である。
【図４】端末１００を保持した第１実施形態の多連クレードル１の縦置き時の側面図である。
【図５】端末１００を保持した第１実施形態の多連クレードル１の横置き時の側面図である。
【図６】図５のVI−VI線断面図である。
【発明を実施するための形態】
【００２４】
（第１実施形態）
以下、本発明を実施するための形態を、図面を参照しながら説明する。図１は、本発明の実施形態となる多連クレードル１の斜視図である。図１では、多連クレードル１の姿勢は縦置きになっている。この多連クレードル１と、図３〜図６に示す端末１００とにより、端末保持システムが構成される。なお、本実施形態の端末１００は、略直方体形状であり、情報コードおよび無線タグの一方または両方に格納された情報を読み取ることができる充電式の端末である。
【００２５】
多連クレードル１は、樹脂性であり、箱型、より正確には直方体形状の箱型本体１０と、支え部５０とを備えている。箱型本体１０は、本体部縦置き時下面１２、端面１４、側面１６、横置き時下面１８、端末差し込み面２０を備えている。
【００２６】
本体部縦置き時下面１２は、図１に示す縦置き時において下面すなわち設置時下面となっている。端面１４は、その本体部縦置き時下面１２に対して平行であり、縦置き時に上面となる。この端面１４は、長方形状である。前述した本体部縦置き時下面１２の形状は、この端面１４と同じであり、且つ、これら端面１４と本体部縦置き時下面１２は、互いに対向する位置にある。
【００２７】
一対の側面１６は互いに同じ形状、かつ、互いに平行である。これら一対の側面１６は、長手矩形状であり、一方の短辺が本体部縦置き時下面１２の一辺と接続し、他方の短辺は端面１４の一辺と接続している。また、この側面１６は、本体部縦置き時下面１２、端面１４に対しては垂直である。
【００２８】
横置き時下面１８は、本体部縦置き時下面１２、端面１４、側面１６に対して垂直である。この横置き時下面１８も長手矩形状であり、一対の長辺が側面１６の長辺と接続しており、一方の短辺は本体部縦置き時下面１２の一辺と接続し、他方の短辺は端面１４の一辺と接続している。この横置き時下面１８の長辺の長さ、短辺の長さは、たとえば、それぞれ４００ｍｍ、８０ｍｍである。
【００２９】
端末差し込み面２０は、横置き時下面１８と対向する面であり、端末１００が差し込まれる面である。
【００３０】
端末差し込み面２０側から視認できるように、端末１００を収容するポケット部３０が形成されている。本実施形態では、このポケット部３０が４つ形成されている。
【００３１】
支え部５０は２つ備えられている。これら２つの支え部５０は互いに同じ形であり、台形の板状部材である。この支え部５０は、端末差し込み面２０の本体部縦置き時下面１２側の端部において、端末差し込み面２０から突き出して形成されている。
【００３２】
この支え部５０は延伸面５２を備える。延伸面５２は、本体部縦置き時下面１２と同一平面上にあり、本体部縦置き時下面１２を端末差し込み面２０側に延伸した矩形状の面である。この延伸面５２と本体部縦置き時下面１２とを合わせた面が縦置き時下面５４である。この縦置き時下面５４の面積は、横置き時下面１８の面積よりも小さくなっている。また、縦置き時下面５４の面積に、２つの延伸面５２の間の面積を加えた設置時面積も、横置き時下面１８の面積よりも小さい。
【００３３】
図２はポケット部３０の拡大図である。ポケット部３０は、底面３２、操作面対向部３４と、読み取り面対向面３６、一対のポケット側面４０を備える。
【００３４】
底面３２は、ポケット部３０に端末１００が収容されたときに、図２には図示していない端末１００の底面１０４を支持する。
【００３５】
操作面対向部３４は、ポケット部３０の壁部の一部を構成する部分であり、底面３２と連結する底面連結部３４１、ポケット側面４０と連結する一対の側面連結部３４２を備える。これら底面連結部３４１、側面連結部３４２の内側面、すなわち、操作面対向部３４の内側面３４３は、ポケット部３０に端末１００が収容されたときに、端末１００の操作面１０２と対向する。この操作面対向部３４の内側面３４３は、請求項の第１対向面として機能する。
【００３６】
読み取り面対向面３６は、ポケット部３０に端末１００が収容されたときに、端末１００の読み取り面１０６と対向する。この読み取り面１０６は、操作面１０２とは反対側の面である。
【００３７】
また、ポケット部３０に端末１００が収容されていない状態では、読み取り面対向面３６は、操作面対向部３４の内側面３４３と対向する。読み取り面対向面３６は、請求項の第２対向面として機能する。
【００３８】
この読み取り面対向面３６は、主部３６１と基部３６２を備える。主部３６１は、ポケット部３０に端末１００が収容されたときに、端末１００の読み取り面１０６と略平行になる。これに対して、基部３６２は、主部３６１に対して傾斜しており、主部３６１と、底面３２とを連結する。
【００３９】
操作面対向部３４の外側面３４４は、図１に示すように、読み取り面対向面３６と同一平面を形成するように連続している。
【００４０】
読み取り面対向面３６は、基部３６２側に向かうほど端末差し込み面２０との間の距離が長くなる。したがって、ポケット部３０は、開口から底面３２に向かうほど、本体部縦置き時下面１２までの距離および横置き時下面１８までの距離がともに短くなる方向に形成されている。
【００４１】
ポケット部３０の底面３２には、充電端子６０が２つ配置されている。図３は、図４のIII−III線断面図である。図３に示すように、充電端子６０は、バネ状部材であり、接触部６１とバネ部６２とを備えている。
【００４２】
接触部６１は、端末１００の底面１０４、および、箱型本体１０の内部に備えられている基板７０と接触可能になっている。基板７０には図示しない電力供給端子が設けられており、接触部６１はこの電力供給端子に接触可能である。また、端末１００の底面１０４には、充電端子６０の接触部６１と接触する図示しない端子が設けられている。バネ部６２は、接触部６１を、基板７０から離隔する方向に付勢する。
【００４３】
端末１００は、充電端子６０の接触部６１に接触可能であることから、端末１００がポケット部３０に収容された状態では、端末１００は、充電端子６０の接触部６１を基板７０の方向に押圧する。端末１００が充電端子６０を押圧して、充電端子６０の接触部６１と基板７０とが接触すると、充電端子６０は導通状態となる。
【００４４】
本体部縦置き時下面１２が設置時下面となった姿勢で、端末１００がポケット部３０に収容された状態では、端末１００は、操作面１０２が下向き側面となり、読み取り面１０６が上向き側面となる。また、端末１００の重量は、操作面対向部３４の内側面３４３と底面３２により支持される。このときの本体部縦置き時下面１２に対する端末１００の角度をα、端末１００の重量をｍとすると、充電端子６０には、ｂ１＝ｍ×ｓｉｎαの力が加わる。なお、角度αは、本体部縦置き時下面１２に対するポケット部３０の軸心角度と略一致する。
【００４５】
充電端子６０に上記ｂ１の力が加わった時に、充電端子６０と基板７０とが、予め設定されている充電時必要荷重よりも大きい荷重で接触する必要がある。充電時必要荷重は、充電時に、充電端子６０と基板７０との接触抵抗が許容できる抵抗になるのに必要な荷重であり、たとえば１０ｇである。
【００４６】
ただし、この充電時必要荷重よりも高い低抵抗荷重が設定されており、充電端子６０と基板７０とは、低抵抗荷重以上の荷重で接触することが好ましい。低抵抗荷重とは、充電端子６０と基板７０との間の接触抵抗が低くなり、効率よく充電をすることができるようになる荷重を意味する。低抵抗荷重は、充電時必要荷重の２倍〜５倍などに適宜設定されており、たとえば、５０ｇである。
【００４７】
ここで、１つのポケット部３０に配置されている充電端子６０の全体のバネ定数をｋ、自由状態における接触部６１と基板７０との距離をｘとする。ポケット部３０に収容された端末１００に接触部６１が押圧されることにより、接触部６１と基板７０との間には、ｃ１＝ｂ１−ｋｘの荷重がかかる。このｃ１が、低抵抗荷重以上となるように、バネ定数ｋ、および端末１００の角度αは設定されている。なお、後述するが、バネ定数ｋ、および端末１００の角度αは、横置き時にも、接触部６１と基板７０との間に低抵抗荷重以上が加わるように設定されている。
【００４８】
また、本体部縦置き時下面１２が設置時下面となった姿勢で、端末１００がポケット部３０に収容された状態では、端末１００の重量は、操作面対向部３４の内側面３４３にも加わる。
【００４９】
端末１００は、上部がポケット部３０から突き出しているため、端末１００の上部が下がり、端末１００の底部が上がる方向に回転するモーメントが生じる。縦置き時には、ポケット部３０に収容された端末１００の操作面１０２は、操作面対向部３４の内側面３４３により支持されている。したがって、上記モーメントは、操作面対向部３４の内側面３４３の上端を支点とし、端末１００の読み取り面１０６の基部を、読み取り面対向面３６側に移動させるモーメントとなる。
【００５０】
このモーメントにより、端末１００の重心がポケット部３０の外にあり、かつ、端末１００の読み取り面１０６の基部が、読み取り面対向面３６の基部３６２に当接していなければ、端末１００は、その基部が上方向に移動する方向に回転してしまう。端末１００の重心がポケット部３０の中にあるとしても、多連クレードル１が揺れた場合などには、端末１００の読み取り面１０６の基部が、読み取り面対向面３６の基部３６２に当接していなければ、端末１００は、その基部が上方向に移動する方向に回転する恐れがある。そして、基部が上方向に移動する方向に回転してしまうと、端末１００はポケット部３０から脱落してしまう。
【００５１】
しかし、縦置き時には、ポケット部３０に収容された端末１００の読み取り面１０６の基部は、読み取り面対向面３６の基部３６２に当接している。したがって、端末１００の回転は、端末１００の読み取り面１０６の基部が読み取り面対向面３６の基部３６２に当接することにより阻止される。
【００５２】
図４は、多連クレードル１が縦置きであり、全てのポケット部３０に端末１００が収容された状態を示す側面図である。図４では、多連クレードル１は、机８０の上に設置されている。この図４に示すように、多連クレードル１は、縦置き時において、４つの端末１００を保持した状態で、自立することができる。
【００５３】
すなわち、全てのポケット部３０に端末１００が差し込まれた状態の多連クレードル１は最も不安定となる。
【００５４】
そこで、本体部縦置き時下面１２の大きさは、全てのポケット部３０に端末１００が収容された状態で、多連クレードル１が自立する大きさになっている。
【００５５】
図５は、横置き時下面１８を設置時下面として横置きの姿勢で机８０に設置した多連クレードル１の側面図である。この図５からも分かるように、本体部縦置き時下面１２の横置き時の高さ方向長さ、すなわち、本体部縦置き時下面１２の、横置き時下面１８と端末差し込み面２０とを接続する方向の長さは、横置き時下面１８の長手方向長さよりも短い。そのため、この図５からも分かるように、横置き時の多連クレードル１は、縦置き時よりも重心が低くなり、高い安定性が得られる。
【００５６】
図６は、図５のVI−VI線断面図である。横置き時下面１８が設置時下面となった姿勢で、端末１００がポケット部３０に収容された状態では、端末１００は、読み取り面１０６が下向き側面となり、操作面１０２が上向き側面となる。また、端末１００の重量は、読み取り面対向面３６の主部３６１と、底面３２により支持される。
【００５７】
図３の角度α、端末１００の重量ｍを用いると、図６の状態では、充電端子６０には、ｂ２＝ｍ×ｓｉｎ（９０−α）の力が加わる。したがって、横置き時には、接触部６１と基板７０との間に、ｃ２＝ｂ２−ｋｘの荷重がかかる。このｃ２が、低抵抗荷重以上となるように、バネ定数ｋ、および端末１００の角度αは設定されている。
【００５８】
また、横置き時下面１８が設置時下面となった姿勢で、端末１００がポケット部３０に収容された状態では、端末１００の重量は、読み取り面対向面３６にも加わる。横置き時には、ポケット部３０に収容された端末１００の読み取り面１０６が、読み取り面対向面３６により支持されている。したがって、端末１００に働くモーメントは、読み取り面対向面３６の上端を支点とし、端末１００の操作面１０２の基部を、操作面対向部３４の内側面３４３側に移動させるモーメントとなる。
【００５９】
しかし、横置き時には、ポケット部３０に収容された端末１００の操作面１０２の基部は、操作面対向部３４の内側面３４３に当接している。したがって、端末１００の回転は、端末１００の操作面１０２の基部が操作面対向部３４の内側面３４３に当接することにより阻止される。  
【００６０】
以上、説明した本実施形態の多連クレードル１は、２つの下面、すなわち、本体部縦置き時下面１２と横置き時下面１８を備えている。そして、箱型本体１０に形成された４つのポケット部３０は、開口から底に向かうほど、本体部縦置き時下面１２および横置き時下面１８までの距離がともに短くなる方向に形成されている。
【００６１】
この方向に各ポケット部３０が形成されると、横置き時下面１８を設置時下面として多連クレードル１を設置したときにも、また、本体部縦置き時下面１２を設置時下面として多連クレードル１を設置したときにも、ポケット部３０に収容された端末１００の荷重は、ポケット部３０の底方向および端末１００の下向き側面と対向する方向に加わる。なお、端末１００の下向き側面は、縦置き時は操作面１０２であり、横置き時は読み取り面１０６である。
【００６２】
端末１００の荷重がポケット部３０の底方向に加わるので、ポケット部３０に収容された端末１００が平行移動してポケット部３０から抜け落ちてしまうことが防止される。
【００６３】
また、ポケット部３０は、操作面対向部３４の内側面３４３と、読み取り面対向面３６とを備えている。本体部縦置き時下面１２が設置時下面となった状態で端末１００がポケット部３０に収容されたときには、操作面対向部３４の内側面３４３が底面３２とともに端末１００の重量を支持し、読み取り面対向面３６が端末１００の読み取り面対向面３６の下部と当接して、端末１００の回転を防止する。
【００６４】
反対に、横置き時下面１８が設置時下面となった状態でポケット部３０に端末１００が収容されたときには、読み取り面対向面３６が底面３２とともに端末１００の重量を支持し、操作面対向部３４の内側面３４３が端末１００の操作面１０２の下部と当接して、端末１００の回転を防止する。したがって、縦置き時も横置き時も、端末１００が回転してポケット部３０から脱落することも防止される。
【００６５】
また、本体部縦置き時下面１２と横置き時下面１８を備えているため、それらの面積を調整すれば、本体部縦置き時下面１２を設置時下面として多連クレードル１を設置したときにも、横置き時下面１８を設置時下面として多連クレードル１を設置したときにも、多連クレードル１を自立させることができる。
【００６６】
そして、本体部縦置き時下面１２は、横置き時下面１８よりも面積が小さいことから、本体部縦置き時下面１２を設置時下面として多連クレードル１を自立させたときには、横置き時下面１８を設置時下面としたときよりも、狭い設置面積に設置することができる。
【００６７】
一方、横置き時下面１８を設置時下面として多連クレードル１を自立させたときは、本体部縦置き時下面１２が側面となる。本体部縦置き時下面１２は、横置き時下面１８と端末差し込み面２０とを接続する方向の長さが、横置き時下面１８の長手方向の長さよりも短い。したがって、横置き時下面１８を設置時下面として多連クレードル１を自立させたときは、本体部縦置き時下面１２を設置時下面として多連クレードル１を自立させたときよりも、高さ方向寸法が低くなるので、重心が低くなる。よって、高い安定性が得られる。
【００６８】
また、本実施形態によれば、ポケット部３０の底面３２には、充電端子６０が備えられており、ポケット部３０に端末１００が収容された状態では、端末１００が充電端子６０を押圧する。充電端子６０は、バネ部６２を備えているので、端末１００はバネ部６２の付勢力に抗して充電端子６０を押圧することになる。端末１００が充電端子６０に加える力は、ポケット部３０の軸心角度により変化する。本実施形態では、ポケット部３０の軸心角度を、縦置き時も、横置き時も、充電端子６０の接触部６１と基板７０とが接触する荷重が、端末１００から充電端子６０に加わる角度としている。したがって、縦置き時にも、横置き時にも、ポケット部３０に端末１００を収容することで、端末１００を充電することができる。
【００６９】
また、本実施形態によれば、支え部５０を備えており、この支え部５０に、縦置き時下面５４の一部となる延伸面５２が備えられていることから、本体部縦置き時下面１２の面積が小さくても、縦置き時に、多連クレードル１をより安定して自立させることができる。本体部縦置き時下面１２の面積を小さくしても、支え部５０の支えによって多連クレードル１は安定して自立するので、本体部縦置き時下面１２の面積を小さくして箱型本体１０の体積を小さくした、小型な多連クレードル１とすることができる。
【００７０】
（第２実施形態）
前述の実施形態の多連クレードル１は、ポケット部３０を４つ備えていたが、ポケット部３０の数は、２つまたは３つでもよく、また、５つ以上でもよい。
【００７１】
（第３実施形態）
また、第１実施形態では、支え部５０を備えており、この支え部５０は、本体部縦置き時下面１２とともに縦置き時下面５４となる延伸面５２を備えていたが、この支え部５０がなくてもよい。しかし、本体部縦置き時下面１２のみで、縦置き時に、多連クレードル１を自立させることができるからである。
【００７２】
（第４実施形態）
第１実施形態の多連クレードル１は、各ポケット部３０に充電端子６０が２つ配置されていたが、各ポケット部３０に配置される充電端子６０の数は３つ以上でもよい。
【００７３】
（第５実施形態）
第１実施形態では、端末１００は、低抵抗荷重以上の充電端子６０を押圧するようになっていたが、充電時の回路抵抗が問題にならない場合には、充電時必要荷重以上あれば、低抵抗荷重よりも低い荷重で端末１００が充電端子６０を押圧してもよい。
【符号の説明】
【００７４】
１：多連クレードル、      １０：箱型本体、      １２：本体部縦置き時下面、      １４：端面、      １６：側面、      １８：横置き時下面、      ２０：端末差し込み面、      ３０：ポケット部、      ３２：底面、      ３４：操作面対向部、      ３６：読み取り面対向面、      ４０：ポケット側面、      ５０：支え部、      ５２：延伸面、      ５４：縦置き時下面、      ６０：充電端子、      ６１：接触部、      ６２：バネ部、      ７０：基板、      ８０：机、      １００：端末、      １０２：操作面、      １０４：底面、      １０６：読み取り面、      ３４１：底面連結部、      ３４２：側面連結部、      ３４３：内側面、      ３４４：外側面、      ３６１：主部、      ３６２：基部
【図１】
0006311489.tif 000002
【図２】
0006311489.tif 000003
【図３】
0006311489.tif 000004
【図４】
0006311489.tif 000005
【図５】
0006311489.tif 000006
【図６】
0006311489.tif 000007